(57)【要約】【課題】パネル基板にパネルカバーを装着するために、パネルカバーに一体に突出させて設けた係止部材を用いて係止保持させることで、ネジ等の異種の材料を用いずに１種の樹脂材料で構成し、着脱の動作も容易に行い得るようにする。【解決手段】パネル基板１に対してパネルカバー５を装着する機構において、所定の位置に固定配置されているパネル基板１の挿入孔２に、パネルカバー５に突出配置している係止部材１０を挿入し、頭部材１２を裏面側に拡開させるようにして固定する。前記係止部材１０の頭部材１２は、溝部１３を介して２つ割り状に構成しておき、挿入孔２を貫通した頭部材１２が両側に拡開する状態で、パネル基板１の裏面側で係止できる。また、パネル基板１に対するパネルカバー５の間隔を設定するために、ステー６をパネルカバー５から突出させて配置する。【選択図】          図２
2004235486.tif 000002
【特許請求の範囲】
【請求項１】
画像形成装置の制御回路を構成するパネル基板を、コントロールパネルに組み合わせて配置するに際して、
パネルカバーと一体に設けた取付手段に対して、前記パネル基板を着脱可能に係止する係止手段を備えたことを特徴とするパネル取付構造。
【請求項２】
前記パネルカバーの取付手段に対して、パネル基板の係止手段を係止することにより、前記パネル基板を位置決めして装着することを特徴とする請求項１に記載のパネル取付構造。
【発明の詳細な説明】
【０００１】
【発明の属する技術分野】
本発明は、画像形成装置のコントロールパネル等に設けるパネル基板の取付構造に関し、金属のネジを用いずにパネルカバーと同質の樹脂材料を用いて固定可能とするパネル取付構造に関する。
【０００２】
【従来の技術】
電子写真複写機等の画像形成装置では、そのコントロールパネルに対して多数のボタンやキー類を設けて、その任意のボタン・キー類を用いて、操作情報を入力することにより、装置を作動させるように設けている。前記コントロールパネルには、パネルフレームにパネル基板を取付けて、前記コントロールパネルに突出させているボタン・キー類を押した情報を、装置本体の制御装置に入力する手段を構成している。（例えば、特許文献１を参照）。
【０００３】
【特許文献１】
特開２００２−６４２５１
【０００４】
【発明が解決しようとする課題】
ところが、前記パネル基板をパネルカバーに組み合わせるに際しては、ネジで固定する方法が一般に用いられているものであり、樹脂製のパネルカバーに組み合わせて金属製のネジのように、異種の材料を用いることが普通である。したがって、前記コントロールパネルのような構造体を破棄するときにはもちろん、一部の部材を修理したり、部品を交換したとき、素材毎に分別処理することが必要となる。また、ネジで固定する手段を用いる場合には、当然ドライバーのような工具を用いることが必要であり、爪部材等を外すために使用する工具に加えて、別の工具を準備しておくことが必要となる。
【０００５】
本発明は、パネルカバーと一体に形成した係止部材を用いて、パネルカバーをパネル基板に固定可能とし、着脱作業を容易に行い得るようにする手段を提供することを目的としている。
【０００６】
【課題を解決するための手段】
本発明は、画像形成装置の制御回路を構成するパネル基板を、コントロールパネルに組み合わせて配置するパネル取付構造に関する。請求項１の発明は、パネルカバーと一体に設けた取付手段に対して、前記パネル基板を着脱可能に係止する係止手段を備えたことを特徴とする。
【０００７】
請求項２の発明は、前記パネルカバーの取付手段に対して、パネル基板の係止手段を係止することにより、前記パネル基板を位置決めして装着することを特徴とする。
【０００８】
前述したように構成したことにより、パネル基板を保持・固定するために、ネジのような異種の素材を用いる必要がなく、パネルカバーと一体の固着部材を使用することが可能となる。そして、ドライバーのような工具を用いずに、パネルカバーとパネル基板とを容易に着脱でき、組み立て・取り外しの作業性を向上させることが可能となる。また、部品を交換する際や、装置を分解して破棄する際にも、分別処理する素材の種類を少なくできて、部材の処理を容易に行うことが可能となる。
【０００９】
【発明の実施の形態】
図示される例にしたがって、本発明のパネル取付構造を説明する。図１に示す例において、パネル基板１においては、ガラス−エポキシ樹脂、紙−フェノール、セラミックス等の絶縁体で構成する基板に対して、導体パターンを印刷等の手段により形成する。そして、前記導体パターンの所定の位置には、ＩＣや抵抗部材、コンデンサ部品等の電子部品を実装して、その端部に露出させた導電部に対して、本体フレーム３の端子部材４等を接触させるような手段を設け、他の基板表面は絶縁被覆を設ける等の処理が施される。また、前記パネル基板１には、前記導体パターンの空所に、実装する際に使用する固定用の装着孔２……を任意のパターンにしたがって設けている。さらに、前記パネル基板の周囲の部分を係止保持させるために、本体フレーム３から突出させて設けた爪部材７を用い、パネル基板１の裏面側に接するように、本体フレーム３から突出させて設けたステー６とにより、パネル基板１が移動しないように位置決めしている。
【００１０】
前記パネル基板１は、一般的な制御装置の回路基板として用いることの他に、画像形成装置のコントロールパネル等においても、ボタン・キー類等による制御信号の入力部にも組み込まれているものである。そして、前記ボタン・キー類により入力される信号は、パネル基板１に設けたスイッチのような動作部材を作動させて、そのスイッチ回路を通して装置本体の制御装置に伝達されることは、従来より画像形成装置の入力部に設けられる入力手段と同様に構成される。また、前記キー・ボタンを押すことにより入力された信号にもとづいて、制御装置は画像形成装置の指定された機能を、その制御装置に設定されたプログラムにしたがって動作させ、その結果にもとづいて、表示部に表示することや、ランプ等を点灯してオペレータに動作内容を知らせる等の動作を行う。
【００１１】
前記パネル基板１をパネルカバー５に対して組み合わせるために、図２に示すような位置決め・固定手段を用いることができる。前記パネルカバー５には、パネル基板１の１つの面に接するステー６と、パネル基板１に設けた装着孔２を貫通して反対側の面を保持する係止部材１０、および、必要に応じて、パネル基板１の側面部を係止保持するための爪部材７を一体に設けている。前記パネルカバー５に突出させて設けるステー６、爪部材７および係止部材１０は、パネルカバー５と同一の材料を用いて構成するもので、成形型に樹脂を注入してパネルカバー５を成形するに際して、それ等の突出部材をも一体に形成することが可能である。また、前記各突出部材を一体に形成することにより、パネルカバーの形状が複雑になる場合には、突出部材の一部は、後で接着手段等により取付けることも可能であり、特に、単純な突出部材であるところのステー６等の部材は、パネルカバー５を成形した後で接着しても、その作用には支障が生じることがない。
【００１２】
前記パネル基板１の装着孔２を貫通して、パネルカバー５とパネル基板１とを一体化させる部材としての係止部材１０は、図２、３に説明するように、所定の長さに形成する軸部１１の先端部に、大径の頭部材１２を一体に形成している。前記頭部材１２に対しては、その中央部に溝部１３を軸部１１の所定の位置まで達するように切り込んで形成し、頭部材１２を左右に拡開させるようにする。前記頭部材１２を拡開するために、成型後に熱処理等を施して、拡開させるように若干変形させることで対応が可能であり、その他に、機械的に曲げるような処理を施しても良い。また、前記頭部材１２の頭部片を各々外側に向けて拡開させるようにしておき、パネル基板１の装着孔２に挿入するに際しては、前記頭部材１２の２つの頭部片を接近させるようにして挿入する。そして、前記頭部材１２がパネル基板上に突出すると、係止部材１０の頭部材１２がその弾性により自動的に拡開されて、抜け止めの作用を行うことができる。なお、前記パネルカバー５の表面に形成するオーバーレイ８は、パネルカバーの表面を保護する被覆として用いることが可能であり、パネルカバー５に設けるキー・スイッチ等の表示を行うための表示部としての機能を持たせても良い。
【００１３】
前記図２に示すように、パネル基板１に対してパネルカバー５を装着した例では、前記パネル基板１はあらかじめコントロールパネルの本体フレーム３に対して、固定配置されている場合を想定しているもので、キー・スイッチ類等を設けたパネルカバー５を、前記パネル基板１のスイッチやコンタクトに対応させて位置決めできるようにする。前述したようにして、係止部材１０をパネル基板１の挿入孔２に挿入して固定した場合に、前記係止部材１０は頭部材１２の横の突出部がパネル基板１の裏面に突出して係合されるが、前記パネルカバー５とパネル基板１の間では、ステー６が間隔保持部材としての作用を行うものとされる。また、必要に応じて、パネル基板１の側部に対応させた所定の位置に、パネルカバー５から爪部材７を係合させて、爪部材７とステー６とによりパネル基板１の上下を位置決めするので、パネルカバー５を後で装着する場合にも、その装着と固定保持の作用を良好に行うことができる。
【００１４】
前述したようにして装着したパネルカバー５を、パネル基板１から取り外す場合には、爪部材７は先端の係止部をドライバーのような工具を用いて外側に押圧することで、容易に外すことが可能である。また、係止部材１０を外す際には、頭部材１２の２つの頭部片の両側からペンチのような工具で挟んで、溝部１３の隙間がなくなるようにしてから押し下げることで、パネル基板１の挿入孔２から係止部材１０の頭部材１２を容易に押し下げることが可能となる。なお、前記図２に示すパネルカバー５の取付に際して、爪部材７は必要に応じて設けることが可能なものであり、前記爪部材７を設けずにパネルカバー６と係止部材１０とを組み合わせるのみでも、パネルカバー５の固定作用を良好に行うことが可能である。したがって、前述したように、パネル基板１に対してパネルカバー５を装着する手段を用いることにより、パネルカバー５の着脱の動作を容易に行うことができ、ネジのような異質の部材を用いずに、２つの部材の着脱を行うことができる。
【００１５】
図４に示す例は、本体フレーム３に対してパネル基板１を保持させた状態で、その上部にパネルカバー５を固定して取付ける例を説明している。前記本体フレーム３にはパネル基板１を保持するために、ステー９と爪部材７を所定のパターンにしたがって突出形成しておき、ステー９……上に載置したパネル基板１の両側端部を、爪部材７……により係止して、パネル基板１が移動しないように保持する。また、前記パネル基板１に対して位置決めするパネルカバー５には、前記ステー９に対応する位置に突出配置したステー６と、パネル基板１に設けた装着孔２に対応する位置に設けた係止部材１０とを、各々突出させて形成しておき、前記ステー６により押圧した状態で、係止部材１０により固定保持させるようにする。
【００１６】
前記図４に示されるように、本体フレーム３に対してあらかじめ装着したパネル基板１に対して、後でパネルカバー５を取付ける例は、前記パネル基板１の上下の面に、電子部品が突出されている状態の場合には、特に有効に用いることができ、本体フレーム３側に突出配置するステー９は任意の位置に設けることが可能である。また、前記図４に示すようにして、パネル基板１に対してパネルカバー５を装着する例において、本体フレーム３とパネル基板１の隙間に対して、横からペンチのような挟み工具を挿入して、頭部材１２を挟んでパネルカバー５を手で押し上げる等の手段を用いることにより、前記パネルカバー５の取り外しを容易に行うことができる。その他に、本体フレーム３側に設けている爪部材７による係止を外して、パネルカバー５とパネル基板１とを一体のまま外し、その後に、係止部材１０を外すような手段を用いても良い。
【００１７】
なお、前記頭部材１２により係止する方式の係止部材１０を用いて、パネルカバー５をパネル基板１に着脱可能に装着するに際して、前記パネルカバー５に設ける係止部材１０と、端部に配置する爪部材７、およびステー７等の部材は、パネルカバー５と一体に構成しておくことで、係止保持のための部品の数を少なくすることが可能である。また、前記パネルカバー５の裏面に突出させて配置する各突出部材の配置間隔等は、その対象とされる機器の構成に対応させて任意に設定が可能であり、特に、爪部材のような部材は、単純に間隔保持部材としての作用を発揮させることができれば、係止部材を一体に形成したパネルカバーの表面に対して、後で接着剤を用いて取付けても良い。また、前記実施例のように、画像形成装置のコントロールパネルのパネルカバー５を装着する例の他に、任意の板状の部材同士を、一定の間隔を介して組み合わせる場合にも、前記取付手段を適用可能なもので、特に、その対象とする部材を画像形成装置に限定するものでもない。
【００１８】
【発明の効果】
前述したように構成したことにより、パネル基板を保持・固定するために、ネジのような異種の素材を用いる必要がなく、パネルカバーと一体の固着部材を使用することが可能となる。そして、ドライバーのような工具を用いずに、パネルカバーとパネル基板とを容易に着脱でき、組み立て・取り外しの作業性を向上させることが可能となる。また、部品を交換する際や、装置を分解して破棄する際にも、分別処理する素材の種類を少なくできるとともに、樹脂材料での素材の再使用等に向けて、部材の処理を容易に行うことが可能となる。
【図面の簡単な説明】
【図１】パネル基板に対する取付手段の説明図である。
【図２】パネル基板とパネルカバーの関係を示す側面図である。
【図３】係止部材に設ける頭部材のパネル基板側から見た説明図である。
【図４】装着部の別の例の側面図である。
【符号の説明】
１    パネル基板、  ２    挿入孔、  ３    本体フレーム、  ４    端子、
５    パネルカバー、  ６    ステー、  ７    爪部材、
８    オーバーレイ、  ９    ステー、  １０    係止部材、
１１    軸部、  １２    頭部材、  １３    溝部。
【図１】
2004235486.tif 000003
【図２】
2004235486.tif 000004
【図３】
2004235486.tif 000005
【図４】
2004235486.tif 000006